(57)【要約】【課題】送信データが高速であっても正常にデータを復調することができるＡＳＫ復調装置を提供すること。【解決手段】送信データＳＡによって搬送信号がＡＳＫ変調したＡＳＫ変調信号Ｓを復調するＡＳＫ復調装置であって、ＡＳＫ変調信号Ｓ内搬送信号の連続受信パルスを３つ受信可能な所定時間ｔ１を計時するタイマＴ１〜Ｔ３と、受信パルスを計数するパルスカウンタと、受信パルスが入力された場合に順次繰り返しタイマＴ１〜Ｔ３を起動させ、所定時間ｔ１内にパルスカウンタが２以上の受信パルスを計数した場合に復調データＲのパルスを検出したとして判定出力し、所定時間ｔ１内にパルスカウンタが２以上の受信パルスを計数しなかった場合、所定時間ｔ１経過時に復調データＲのパルスを検出できないとして判定出力する判定出力部とを備える。【選択図】        図２
2010141615.tif 000002
【特許請求の範囲】
【請求項１】
送信データによって搬送信号がＡＳＫ変調されたＡＳＫ変調信号を復調するＡＳＫ復調装置であって、
前記ＡＳＫ変調信号内搬送信号の連続受信パルスを３以上受信可能な所定時間を計時するタイマと、
入力された前記ＡＳＫ変調信号内搬送信号の受信パルスを計数するパルスカウンタと、
前記受信パルスが入力された場合に前記タイマを起動させ、前記所定時間内に前記パルスカウンタが所定数以上の受信パルスを計数した場合に前記送信データのパルスに対応する復調データのパルスを検出したとして判定出力する判定出力部と、
を備えたことを特徴とするＡＳＫ復調装置。
【請求項２】
前記判定出力部は、前記所定時間経過時に復調データのパルスを検出したとして判定出力することを特徴とする請求項１に記載のＡＳＫ復調装置。
【請求項３】
前記判定出力部は、前記所定時間内で復調データのパルスを検出したと判定した時点で判定出力することを特徴とする請求項１に記載のＡＳＫ復調装置。
【請求項４】
前記判定出力部は、前記所定時間内に前記パルスカウンタが所定数以上の受信パルスを計数しなかった場合、該所定時間経過時に前記送信データのパルスに対応する復調データのパルスを検出できないとして判定出力することを特徴とする請求項１〜３のいずれか一つに記載のＡＳＫ復調装置。
【請求項５】
前記タイマは、前記ＡＳＫ変調信号内搬送信号の受信パルス数に対応した数のタイマを有し、
前記判定出力部は、前記受信パルスが入力される度に各タイマを順次起動させることを特徴とする請求項１〜４のいずれか一つに記載のＡＳＫ復調装置。
【請求項６】
前記タイマは、３以上のタイマを有し、
前記判定出力部は、前記受信パルスが入力される度に、順次、他の１つのタイマを再起動させ、各タイマを繰り返し使用することを特徴とする請求項１〜４のいずれか一つに記載のＡＳＫ復調装置。
【請求項７】
前記タイマは、１つのタイマであり、
前記判定出力部は、前記所定時間内に前記パルスカウンタが所定数以上の受信パルス数を計数した場合に、前記タイマを再起動させ、該タイマを繰り返し使用することを特徴とする請求項１〜４のいずれか一つに記載のＡＳＫ復調装置。
【請求項８】
前記所定数の受信パルス数は、前記所定時間内に受信する３以上の受信パルスの数の半数を超える値であることを特徴とする請求項１〜７のいずれか一つに記載のＡＳＫ復調装置。
【請求項９】
前記所定数の受信パルス数は、前記所定時間内に受信する最大パルス数から１つ減算した値であることを特徴とする請求項１〜７のいずれか一つに記載のＡＳＫ復調装置。
【請求項１０】
前記ＡＳＫ変調信号は、赤外線信号であることを特徴とする請求項１〜９のいずれか一つに記載のＡＳＫ復調装置。
【発明の詳細な説明】
【技術分野】
【０００１】
この発明は、送信データによって搬送信号がＡＳＫ（amplitude shift keying）変調されたＡＳＫ変調信号を復調するＡＳＫ復調装置に関するものである。
【背景技術】
【０００２】
従来から、家電用の赤外線リモートコントローラは、送信データによって搬送信号がＡＳＫ変調されたＡＳＫ変調信号を送信し、受信側装置は、このＡＳＫ変調信号を復調するＡＳＫ復調装置を備えている。図９は、従来のＡＳＫ復調装置の構成を示すブロック図である。図９に示すように、従来のＡＳＫ復調装置は、ＰＩＮフォトダイオード１０２で受信したＡＳＫ変調信号を、オートマティック・バイアス・レベル・コントロール（ＡＢＬＣ）回路１０５による飽和防止の制御のもとに、初段アンプ１０３で増幅する。この増幅されたＡＳＫ変調信号は、リミッタ１０４によって信号レベルを最大入力レベル以下に調整され、この調整された信号は、バンドパスフィルタ１０５によってフィルタリングされたＡＳＫ変調信号Ｓ１を生成する。このＡＳＫ変調信号Ｓ１は、検波器１０６によって送信データに対応する検波信号Ｓ２が生成され、その後、波形整形回路１０７によって時間幅ＤＬを有する送信データに対応する復調データ信号に波形整形された後、トランジスタを介して出力される。
【０００３】
【特許文献１】特開２００２−２３２４９５号公報
【発明の開示】
【発明が解決しようとする課題】
【０００４】
しかしながら、上述した従来のＡＳＫ復調装置は、入力される搬送信号の搬送周波数が数１０ｋＨｚという低速であることに加え、検波器１０６がコンデンサＣの充放電を伴うアナログ処理を行っているため、復調データ信号の時間幅ＤＬが長くなってしまう。ここで、送信データを、たとえば搬送周波数の１／１５程度の高速にすると、復調データ信号が示すデータ「１」の時間幅ＤＬであるパルス幅のパルス幅の延びが無視できなくなり、復調データが示すデータ「０」とのディーティ比が大きくなり、送信データが示すデータを正常に復調することができない場合が生じるという問題点があった。
【０００５】
なお、特許文献１には、コンパレータと単安定マルチバイブレータとを用い、ＡＳＫ変調信号をデジタル処理して復調するものが開示されているが、ノイズなどによってコンパレータが誤動作し、単安定マルチバイブレータがパルスを検出できないと、復調波形にひげ状のノイズとして出力され、正常な復調を行うことができない場合がある。さらに、特許文献１では、復調信号をフリップフロップのクロックとして用いているため、信号にひげ状のノイズが混入すると、フリップフロップが誤動作し、正常な復調を行うことができない場合がある。
【０００６】
この発明は、上記に鑑みてなされたものであって、送信データが高速であっても正常にデータを復調することができるＡＳＫ復調装置を提供することを目的とする。
【課題を解決するための手段】
【０００７】
上述した課題を解決し、目的を達成するために、この発明にかかるＡＳＫ復調装置は、送信データによって搬送信号がＡＳＫ変調されたＡＳＫ変調信号を復調するＡＳＫ復調装置であって、前記ＡＳＫ変調信号内搬送信号の連続受信パルスを３以上受信可能な所定時間を計時するタイマと、入力された前記ＡＳＫ変調信号内搬送信号の受信パルスを計数するパルスカウンタと、前記受信パルスが入力された場合に前記タイマを起動させ、前記所定時間内に前記パルスカウンタが所定数以上の受信パルスを計数した場合に前記送信データのパルスに対応する復調データのパルスを検出したとして判定出力する判定出力部と、を備えたことを特徴とする。
【０００８】
また、この発明にかかるＡＳＫ復調装置は、上述した発明において、前記判定出力部は、前記所定時間経過時に復調データのパルスを検出したとして判定出力することを特徴とする。
【０００９】
また、この発明にかかるＡＳＫ復調装置は、上述した発明において、前記判定出力部は、前記所定時間内で復調データのパルスを検出したと判定した時点で判定出力することを特徴とする。
【００１０】
また、この発明にかかるＡＳＫ復調装置は、上述した発明において、前記判定出力部は、前記所定時間内に前記パルスカウンタが所定数以上の受信パルスを計数しなかった場合、該所定時間経過時に前記送信データのパルスに対応する復調データのパルスを検出できないとして判定出力することを特徴とする。
【００１１】
また、この発明にかかるＡＳＫ復調装置は、上述した発明において、前記タイマは、前記ＡＳＫ変調信号内搬送信号の受信パルス数に対応した数のタイマを有し、前記判定出力部は、前記受信パルスが入力される度に各タイマを順次起動させることを特徴とする。
【００１２】
また、この発明にかかるＡＳＫ復調装置は、上述した発明において、前記タイマは、３以上のタイマを有し、前記判定出力部は、前記受信パルスが入力される度に、順次、他の１つのタイマを再起動させ、各タイマを繰り返し使用することを特徴とする。
【００１３】
また、この発明にかかるＡＳＫ復調装置は、上述した発明において、前記タイマは、１つのタイマであり、前記判定出力部は、前記所定時間内に前記パルスカウンタが所定数以上の受信パルス数を計数した場合に、前記タイマを再起動させ、該タイマを繰り返し使用することを特徴とする。
【００１４】
また、この発明にかかるＡＳＫ復調装置は、上述した発明において、前記所定数の受信パルス数は、前記所定時間内に受信する３以上の受信パルスの数の半数を超える値であることを特徴とする。
【００１５】
また、この発明にかかるＡＳＫ復調装置は、上述した発明において、前記所定数の受信パルス数は、前記所定時間内に受信する最大パルス数から１つ減算した値であることを特徴とする。
【００１６】
また、この発明にかかるＡＳＫ復調装置は、上述した発明において、前記ＡＳＫ変調信号は、赤外線信号であることを特徴とする。
【発明の効果】
【００１７】
この発明によれば、判定出力部が、受信パルスが入力された場合にタイマを起動させ、所定時間内にパルスカウンタが所定数以上の受信パルスを計数した場合に送信データのパルスに対応する復調データのパルスを検出したとして判定出力するようにしているので、アナログ検波処理と異なり、復調データのパルス幅が延びることがなく、復調データのパルスのオンオフ時のデューティ比が大きく異ならないため、高速な送信データを受信する場合であっても、正常に復調することができる。
【発明を実施するための最良の形態】
【００１８】
以下、図面を参照して、この発明にかかるＡＳＫ復調装置の好適な実施の形態を詳細に説明する。なお、この実施の形態によってこの発明が限定されるものではない。
【００１９】
（実施の形態１）
図１は、この発明の実施の形態１であるＡＳＫ復調装置の構成を示すブロック図である。また、図２は、図１に示した復調出力部の処理概要を示すタイミングチャートである。さらに、図３は、図１に示した復調出力部の処理手順を示すフローチャートであり、図４は、図３の判定出力処理手順を示す詳細フローチャートである。
【００２０】
図１に示すように、このＡＳＫ復調装置１は、ＰＩＮフォトダイオード２によって、送信データＳＡが搬送信号によってＡＳＫ変調されたＡＳＫ変調信号を受信する。このＡＳＫ変調信号は、搬送信号周波数が数１０ｋＨｚで、送信データＳＡが搬送信号周波数の１／１５程度の繰り返し周波数である。また、このＡＳＫ変調信号は、赤外線信号である。
【００２１】
ＰＩＮフォトダイオード２によって受信されたＡＳＫ変調信号は、初段アンプ３によって増幅され、さらにリミッタ４によって信号レベルを最大入力レベル以下に調整した単極のＡＳＫ変調信号Ｓを出力する。ここで、オートマティック・バイアス・レベル・コントロール（ＡＢＬＣ）回路５は、初段アンプ３の飽和防止制御を行う。このＡＳＫ変調信号Ｓは、復調出力部６に入力され、復調出力部６は、このＡＳＫ変調信号Ｓの立ち下がりを受信パルスＰとし、この受信パルスＰを用いたデジタル処理による検波出力処理を行い、復調データＲを出力する。
【００２２】
復調出力部６は、ＡＳＫ変調信号Ｓの立ち下がりである受信パルスＰを検出し、３以上の受信パルスＰを検出できる所定時間内に２以上の受信パルスＰを検出した場合に、送信データが「１」であると検波出力する。なお、送信データＳＡは、ハイレベル（Ｈ）が「０」に対応し、ローレベル（Ｌ）が「１」に対応する。
【００２３】
復調出力部６は、入力されたＡＳＫ復調信号Ｓの立ち下がりである受信パルスＰの数を計数するパルスカウンタＰＣと、受信パルスＰの受信から、３以上４未満の受信パルスＰを検出する所定時間ｔ１を計時する３つのタイマＴ１〜Ｔ３と、３つのタイマＴ１〜Ｔ３の起動を順次切り換える切換部７と、所定時間ｔ１内に２以上の受信パルスＰを検出した場合に、受信データＲを「Ｌ」として出力し、所定時間ｔ１内に２未満の受信パルスＰを検出した場合に、受信データＲを「Ｈ」として出力する判定出力部８とを有する。
【００２４】
ここで、図２に示すタイミングチャートを参照して復調出力部６の動作について説明する。まず、図２（ａ）に示した送信データＳＡは、搬送信号によってＡＳＫ変調され、このＡＳＫ変調信号は、リミッタ４から図２（ｂ）に示すＡＳＫ変調信号Ｓとして復調出力部６に入力される。パルスカウンタＰＣは、上述したように、ＡＳＫ変調信号Ｓの立ち下がりを受信パルスＰとして計数する。すなわち、順次、受信パルスＰ１，Ｐ２，Ｐ３，…を計数する。
【００２５】
最初の受信パルスＰ１が入力されると、この入力タイミングで図２（ｃ）に示すように、タイマＴ１が起動し、受信パルスＰ３の受信タイミング直後までの所定時間ｔ１を計時する。その後、タイマＴ１の所定時間ｔ１では、パルスカウンタＰＣが受信パルスＰ１，Ｐ２，Ｐ３の３つの受信パルスを計数しているので、判定出力部８は、図２（ｋ）に示すように、所定時間ｔ１の経過時に受信データＲを「Ｌ」として出力する。
【００２６】
その次の受信パルスＰ２が入力されると、この入力タイミングから、図２（ｄ）に示すように、タイマＴ２が起動し、受信パルスＰ４の受信タイミング直後までの所定時間ｔ１を計時する。このタイマＴ２の所定時間ｔ１では、パルスカウンタＰＣが受信パルスＰ２，Ｐ３，Ｐ４の３つの受信パルスを計数しているので、判定出力部８は、図２（ｋ）に示すように、所定時間ｔ１の経過時に受信データＲを「Ｌ」として出力し、受信データＲの「Ｌ」を維持する。
【００２７】
同様にして、受信パルスＰ３が入力されると、この入力タイミングから、図２（ｅ）に示すように、タイマＴ３が起動し、受信パルスＰ３から２つめの受信パルスの入力タイミング直後までの所定時間ｔ１を計時する。このタイマＴ３の所定時間ｔ１では、受信パルスＰ５（Ｐａ）が抜けており、パルスカウンタＰＣは、受信パルスＰ３，Ｐ４の２つの受信パルスのみを計数するが、２以上の受信パルス数であるため、判定出力部８は、受信データＲがあるとして、所定時間ｔ１の経過時に受信データＲを「Ｌ」として出力し、受信データＲを「Ｌ」として維持する。
【００２８】
ここで、この復調出力部６は、３つのタイマＴ１〜Ｔ３を有し、切換部７は、タイマＴ１→Ｔ２→Ｔ３→Ｔ１の順序で、受信パルスＰの入力の都度、つぎのタイマに順次繰り返して切り換える。
【００２９】
一方、ＡＳＫ変調信号Ｓ内で、ひげ状のノイズなどによって受信パルスＰｂのように、搬送周波数に対応した定期的な受信パルス間に、新たな受信パルスが加わった場合、図２（ｇ）に示したタイマＴ２の所定時間ｔ１内に４つの受信パルスが計数されるが、この場合、２以上の受信パルス数であるので、判定出力部８は、所定時間ｔ１の経過時に受信データＲを「Ｌ」として出力し、受信データＲを「Ｌ」として維持する。
【００３０】
また、図２（ｊ）に示すように、ＡＳＫ変調信号Ｓの最後の受信パルスＰｎを受信したタイマＴ１は、その後の所定時間ｔ１内に受信パルスを計数することがないので、１つの受信パルス数となり、判定出力部８は、所定時間ｔ１の経過時に、受信データがなかったものとして、受信データＲを「Ｈ」として出力する。
【００３１】
ここで、さらに図３および図４に示すフローチャートを参照して、復調出力部６の処理について説明する。この処理は、ソフトウェア処理によって実現できる。図３に示すように、まず判定出力部８は、受信パルスＰを受信したか否かを判断する（ステップＳ１０１）。受信パルスＰを受信しない場合（ステップＳ１０１，Ｎｏ）には、ステップＳ１０１の判断処理を繰り返す。一方、受信パルスＰを受信した場合（ステップＳ１０１，Ｙｅｓ）には、この受信タイミングで最初のタイマＴ１を起動し（ステップＳ１０２）、さらにこの受信タイミングでパルスカウンタＰＣは、カウントアップする（ステップＳ１０３）。
【００３２】
その後、判定出力部８は、判定出力処理を行う（ステップＳ１０４）。ここでは、３つの受信パルス数の計数が可能な所定時間ｔ１内に、２以上の受信パルス数が計数された場合に受信データがありと判定し、受信データＲを「Ｌ」として出力し、２未満の受信パルス数が計数された場合に受信データがないと判定し、受信データＲを「Ｈ」として出力する。
【００３３】
すなわち、図４に示すように、まず、判定出力部８は、所定時間ｔ１が経過したか否かを判断する（ステップＳ２０１）。ここで、所定時間ｔ１を経過していない場合（ステップＳ２０１，Ｎｏ）には、ステップＳ１０４にリターンする。一方、所定時間ｔ１が経過している場合（ステップＳ２０１，Ｙｅｓ）には、さらに所定時間ｔ１間のパルスカウント数（受信パルス数）ＣＴが２以上であるか否かを判断する（ステップＳ２０２）。
【００３４】
パルスカウント数ＣＴが２以上である場合（ステップＳ２０２，Ｙｅｓ）には、受信データＲを「Ｌ」として出力し（ステップＳ２０３）、パルスカウント数ＣＴが２未満である場合（ステップＳ２０２，Ｎｏ）には、受信データＲを「Ｈ」として出力し（ステップＳ２０４）、ステップＳ１０４にリターンする。
【００３５】
この判定出力処理を終了すると、さらに受信パルスＲを受信したか否かを判定する（ステップＳ１０５）。受信パルスＲを受信していない場合（ステップＳ１０５，Ｎｏ）には、ステップＳ１０４に移行し、上述した判定出力処理を行う。一方、受信パルスＲを受信した場合（ステップＳ１０５，Ｙｅｓ）には、この受信タイミングで、次のタイマＴ２を起動し（ステップＳ１０６）、さらにこの受信タイミングでパルスカウンタＰＣによる受信パルス数をインクリメントし（ステップＳ１０７）、ステップＳ１０４による判定出力処理を繰り返す。
【００３６】
この実施の形態１では、３つの受信パルスを計数できる所定時間ｔ１内に、２以上の受信パルス数であった場合に、受信データがありとして所定時間ｔ１経過時に受信データＲを「Ｌ」として出力している。この実施の形態１では、１つの受信パルスが抜けた場合、あるいはノイズなどによって１つの受信パルスが付加した場合であっても正常な受信データＲとして復調出力することができる。なお、従来のＡＳＫ復調装置のように、コンデンサなどを用いたアナログ検波処理を行わないので、復調データのパルス波形の延びなどがなくなり、復調された受信データの送信ばらつきは、最大１受信パルス周期ＴＴとなる。この結果、受信データ「Ｌ」と「Ｈ」とのデューティ比は、１つの受信パルス周期分、すなわち搬送周波数の１周期分の差のみであるため、同一搬送周波数を用いた場合における高速な（高速ボーレートの）送信データを正常に復調することができる。
【００３７】
なお、上述した実施の形態１では、３つの受信パルスを計数できる所定時間ｔ１内に、２以上の受信パルス数であった場合に、受信データがありとして所定時間ｔ１経過時に受信データＲを「Ｌ」として出力しているが、これに限らず、たとえば、図５に示すように、４つの受信パルスを計数できる所定時間ｔ２内に、３以上の受信パルス数であった場合に、受信データがありとして所定時間ｔ２経過時に受信データＲを「Ｌ」として出力するようにしてもよい。この場合、タイマは少なくとも４つのタイマが必要となる。
【００３８】
また、所定時間内に計数できる最大受信パルス数から１つ少ない受信パルス数を超える場合に、受信データＲを「Ｌ」として出力し、１つ受信データの欠落あるいは追加した場合であっても正常な復調データとして出力するようにしていたが、必要に応じて、２つ以上の受信データの欠落あるいは追加した場合であっても正常な復調データとして出力できるように、判定出力部８が判定出力してもよい。この判定出力の設定は、外部通信環境などを考慮して設定すると良い。
【００３９】
なお、上述した実施の形態１では、少なくとも３つのタイマＴ１〜Ｔ３を順次繰り返し使用するようにしていたが、再使用せずに、必要な分のタイマを複数設けるようにしてもよい。すなわち、受信パルス数と同数のタイマを設けるようにしてもよい。
【００４０】
（実施の形態２）
つぎに、この発明の実施の形態２について説明する。上述した実施の形態１では、複数のタイマＴ１〜Ｔ３を用いていたが、この実施の形態２では、１つのタイマＴ１のみを用いて復調出力するようにしている。
【００４１】
図６は、この発明の実施の形態２であるＡＳＫ復調装置の構成を示すブロック図である。また、図７は、図６に示したＡＳＫ復調装置の復調出力部による動作を示すタイミングチャートである。さらに、図８は、図６に示した復調出力部による処理手順を示すフローチャートである。図６〜図８において、このＡＳＫ復調装置２１は、１つのタイマＴ１のみを用いて所定時間ｔ１を計時するようにしている。
【００４２】
判定出力部８は、最初の受信パルスＰ１の受信タイミングで図７（ｃ）に示すように、所定時間ｔ１の計時を開始する。その後、図７（ｃ），（ｄ）に示すように、受信パルスＰ２の受信タイミングで、タイマＴ１による所定時間ｔ１の計時を再起動させている。それとともに、この受信タイミングでは、図７（ｃ）に示すように、タイマＴ１がこの受信タイミングにおいて受信パルス数が２つ以上となったため、受信データがありと判定され、この受信タイミングで受信データＲを「Ｌ」として出力するようにしている。
【００４３】
すなわち、タイマＴ１は、３つの受信パルス数を計数できる所定時間ｔ１を計時可能であるが、２つの受信パルス数を計数した場合に、その時点で、受信データＲを「Ｌ」として出力するとともに、タイマＴ１をリセットして新たな所定時間ｔ１を計時するようにしている。たとえば、受信パルスＰ４，Ｐ６間の受信パルスＰ５が抜けた場合、受信データＲを「Ｌ」として出力するタイミングは、１周期分遅れるとともに、次のタイマ起動タイミングも１周期分遅れることになる。そして、図７（ｊ）に示すように、所定時間ｔ１内で２未満の受信パルス数であった場合、受信データがないとして受信データＲを「Ｈ」として出力する。
【００４４】
ここで、図８に示すフローチャートを参照して、判定出力部８の判定処理手順について説明する。まず、判定出力部８は、受信パルスＰを受信したか否かを判断する（ステップＳ３０１）。受信パルスＰを受信しない場合（ステップＳ３０１，Ｎｏ）には、このステップＳ３０１の判断処理を繰り返す。一方、受信パルスＰを受信した場合（ステップＳ３０１，Ｙｅｓ）には、この受信タイミングでタイマＴ１を起動し、所定時間ｔ１の計時を開始する（ステップＳ３０２）。さらに、この受信タイミングでタイマ起動中フラグＦＬＧによってタイマが起動されたことを記憶する（ステップＳ３０３）。
【００４５】
その後、さらに受信パルスＰを受信したか否かを判断し（ステップＳ３０４）、受信パルスＰを受信した場合（ステップＳ３０４，Ｙｅｓ）には、タイマ起動中であるか否かを判断する（ステップＳ３０５）。
【００４６】
タイマ起動中である場合（ステップＳ３０５，Ｙｅｓ）には、受信データがありとして、受信データＲを「Ｌ」として出力し（ステップＳ３０６）、その後、さらにタイマＴ１を再起動させ、所定時間ｔ１の計時を開始させ（ステップＳ３０７）、ステップＳ３０４に移行し、上述した処理を繰り返す。もし仮にタイマ起動中で無かった場合（ステップＳ３０５，Ｎｏ）には、タイマを起動（ステップＳ３０２）に戻り、タイマ起動中フラグをセット（ステップＳ３０３）する。
【００４７】
一方、受信パルスＰを受信しなかった場合（ステップＳ３０４，Ｎｏ）には、所定時間ｔ１を経過したか否かを判断する（ステップＳ３０８）。所定時間ｔ１を経過している場合（ステップＳ３０８，Ｙｅｓ）には、受信データがないとして、受信データＲを「Ｈ」として出力（ステップＳ３０９）した上で、タイマ起動中フラグをクリア（ステップＳ３１０）し、ステップＳ３０４に移行し、上述した処理を繰り返す。また、所定時間ｔ１を経過していない場合（ステップＳ３０８，Ｎｏ）には、ステップＳ３０４に移行し、上述した処理を繰り返す。
【００４８】
この実施の形態２では、上述した実施の形態１と同様な作用効果が得られるとともに、１つのタイマＴ１のみでよいため、ＡＳＫ復調装置を簡易な構成で実現することができる。
【図面の簡単な説明】
【００４９】
【図１】この発明の実施の形態１であるＡＳＫ復調装置の構成を示すブロック図である。
【図２】図１に示した復調出力部の動作を示すタイミングチャートである。
【図３】図１に示した復調出力部の処理手順を示すフローチャートである。
【図４】図３に示した判定出力処理の処理手順を示す詳細フローチャートである。
【図５】この発明の実施の形態１の変形例による動作を示すタイミングチャートである。
【図６】この発明の実施の形態２であるＡＳＫ復調装置の構成を示すブロック図である。
【図７】図６に示した復調出力部の動作を示すタイミングチャートである。
【図８】図６に示した復調出力部の処理手順を示すフローチャートである。
【図９】従来のＡＳＫ復調装置の構成を示すブロック図である。
【符号の説明】
【００５０】
１，２１  ＡＳＫ復調装置
２  ＰＩＮフォトダイオード
３  初段アンプ
４  リミッタ
５  オートマティック・バイアス・レベル・コントロール回路
６  復調出力部
７  切換部
８  判定出力部
Ｔ１〜Ｔ３  タイマ
Ｓ  ＡＳＫ変調信号
Ｒ  受信データ
ＳＡ  送信データ
【図１】
2010141615.tif 000003
【図２】
2010141615.tif 000004
【図３】
2010141615.tif 000005
【図４】
2010141615.tif 000006
【図５】
2010141615.tif 000007
【図６】
2010141615.tif 000008
【図７】
2010141615.tif 000009
【図８】
2010141615.tif 000010
【図９】
2010141615.tif 000011